【事件の表示】
　特願２０１５−２０６２０６「表示装置」拒絶査定不服審判事件〔平成２８年　３月１７日出願公開、特開２０１６−　３５５８５、請求項の数（１０）〕について、次のとおり審決する。
【結　論】
　原査定を取り消す。
　本願の発明は、特許すべきものとする。
【理　由】
第１　手続の経緯
特許出願：　平成２７年１０月２０日
（平成２７年１月７日に出願された特願２０１５−１２０５号（優先権主張平成１７年３月１８日）の分割出願）
拒絶査定：　平成２９年２月２８日（送達日：同年３月７日）
拒絶査定不服審判の請求：　平成２９年５月２４日 
手続補正：　平成２９年５月２４日 
第２　原査定の概要
　原査定（平成２９年２月２８日付け拒絶査定）の概要は次のとおりである。
１．本願請求項１−９に係る発明は、以下の引用文献１に基づいて、また本願請求項１０に係る発明は、以下の引用文献１−３に基づいて、その発明の属する技術の分野における通常の知識を有する者（以下、「当業者」という。）が容易に発明できたものであるから、特許法第２９条第２項の規定により特許を受けることができない。
　引用文献等一覧
１.特開２００４−２４６３２０号公報
２.特開２００３−００５７０９号公報（周知技術を示す文献）
３.特開２００４−３４１１４４号公報（周知技術を示す文献）
第３　本願発明
　本願請求項１−１０に係る発明（以下、それぞれ「本願発明１」−「本願発明１０」という。）は、平成２９年５月２４日付けの手続補正で補正された特許請求の範囲の請求項１−１０に記載された事項により特定される発明であり、以下のとおりの発明である。
「【請求項１】
　駆動トランジスタと、第１乃至第４のスイッチと、容量素子と、発光素子と、を有し、
　前記発光素子は、前記駆動トランジスタと前記第１のスイッチとを直列に介して、電源線と電気的に接続され、
　前記駆動トランジスタのゲートは、前記第２のスイッチを介して、前記駆動トランジスタのドレインと電気的に接続され、
　前記第２のスイッチは、前記第１のスイッチを介さずに、前記駆動トランジスタのドレインと電気的に接続され、
　前記容量素子の第１の端子は、前記駆動トランジスタのゲートと電気的に接続され、
　前記容量素子の第２の端子は、前記第３のスイッチを介して、第１の配線と電気的に接続され、
　前記容量素子の第２の端子は、前記第４のスイッチを介して、第２の配線と電気的に接続され、
　前記第２のスイッチは、発光期間においてオフ状態であり、
　前記電源線は、前記第１の配線又は前記第２の配線と交差する領域を有することを特徴とする表示装置。
　　【請求項２】
　駆動トランジスタと、第１乃至第４のスイッチと、容量素子と、発光素子と、を有し、
　前記駆動トランジスタと前記第１のスイッチとは、前記発光素子と電源線との間に直列に電気的に接続され、
　前記第２のスイッチは、前記駆動トランジスタのゲートと前記駆動トランジスタのドレインとの間に電気的に接続され、
　前記第２のスイッチは、前記第１のスイッチを介さずに、前記駆動トランジスタのドレインと電気的に接続され、
　前記容量素子の第１の端子は、前記駆動トランジスタのゲートと電気的に接続され、
　前記第３のスイッチは、前記容量素子の第２の端子と第１の配線との間に電気的に接続され、
　前記第４のスイッチは、前記容量素子の第２の端子と第２の配線との間に電気的に接続され、
　前記第２のスイッチは、発光期間においてオフ状態であり、
　前記電源線は、前記第１の配線又は前記第２の配線と交差する領域を有することを特徴とする表示装置。
　　【請求項３】
　駆動トランジスタと、第１乃至第４のスイッチと、容量素子と、発光素子と、を有し、
　前記第１のスイッチは、電源線から前記駆動トランジスタを介して前記発光素子に流れる電流を遮断することができる機能を有し、
　前記第２のスイッチは、前記駆動トランジスタのゲートと前記駆動トランジスタのドレインとの導通又は非導通を制御することができる機能を有し、
　前記第２のスイッチは、前記第１のスイッチを介さずに、前記駆動トランジスタのドレインと電気的に接続され、
　前記容量素子の第１の端子は、前記駆動トランジスタのゲートと電気的に接続され、
　前記第３のスイッチは、前記容量素子の第２の端子と第１の配線との導通又は非導通を制御することができる機能を有し、
　前記第４のスイッチは、前記容量素子の第２の端子と第２の配線との導通又は非導通を制御することができる機能を有し、
　前記第２のスイッチは、発光期間においてオフ状態であり、
　前記電源線は、前記第１の配線又は前記第２の配線と交差する領域を有することを特徴とする表示装置。
　　【請求項４】
　駆動トランジスタと、第１乃至第４のスイッチと、容量素子と、発光素子と、を有し、
　前記発光素子は、前記駆動トランジスタと前記第１のスイッチとを直列に介して、電源線と電気的に接続され、
　前記駆動トランジスタのゲートは、前記第２のスイッチを介して、前記駆動トランジスタのドレインと電気的に接続され、
　前記第２のスイッチは、前記第１のスイッチを介さずに、前記駆動トランジスタのドレインと電気的に接続され、
　前記容量素子の第１の端子は、前記駆動トランジスタのゲートと電気的に接続され、
　前記容量素子の第２の端子は、前記第３のスイッチを介して、第１の配線と電気的に接続され、
　前記容量素子の第２の端子は、前記第４のスイッチを介して、第２の配線と電気的に接続され、
　前記第２のスイッチのオンオフを制御する信号は、走査線に入力されるパルス信号であり、
　前記電源線は、前記第１の配線又は前記第２の配線と交差する領域を有することを特徴とする表示装置。
　　【請求項５】
　駆動トランジスタと、第１乃至第４のスイッチと、容量素子と、発光素子と、を有し、
　前記駆動トランジスタと前記第１のスイッチとは、前記発光素子と電源線との間に直列に電気的に接続され、
　前記第２のスイッチは、前記駆動トランジスタのゲートと前記駆動トランジスタのドレインとの間に電気的に接続され、
　前記第２のスイッチは、前記第１のスイッチを介さずに、前記駆動トランジスタのドレインと電気的に接続され、
　前記容量素子の第１の端子は、前記駆動トランジスタのゲートと電気的に接続され、
　前記第３のスイッチは、前記容量素子の第２の端子と第１の配線との間に電気的に接続され、
　前記第４のスイッチは、前記容量素子の第２の端子と第２の配線との間に電気的に接続され、
　前記第２のスイッチのオンオフを制御する信号は、走査線に入力されるパルス信号であり、
　前記電源線は、前記第１の配線又は前記第２の配線と交差する領域を有することを特徴とする表示装置。
　　【請求項６】
　駆動トランジスタと、第１乃至第４のスイッチと、容量素子と、発光素子と、を有し、
　前記第１のスイッチは、電源線から前記駆動トランジスタを介して前記発光素子に流れる電流を遮断することができる機能を有し、
　前記第２のスイッチは、前記駆動トランジスタのゲートと前記駆動トランジスタのドレインとの導通又は非導通を制御することができる機能を有し、
　前記第２のスイッチは、前記第１のスイッチを介さずに、前記駆動トランジスタのドレインと電気的に接続され、
　前記容量素子の第１の端子は、前記駆動トランジスタのゲートと電気的に接続され、
　前記第３のスイッチは、前記容量素子の第２の端子と第１の配線との導通又は非導通を制御することができる機能を有し、
　前記第４のスイッチは、前記容量素子の第２の端子と第２の配線との導通又は非導通を制御することができる機能を有し、
　前記第２のスイッチのオンオフを制御する信号は、走査線に入力されるパルス信号であり、
　前記電源線は、前記第１の配線又は前記第２の配線と交差する領域を有することを特徴とする表示装置。
　　【請求項７】
　駆動トランジスタと、第１乃至第４のスイッチと、容量素子と、発光素子と、を有し、
　前記発光素子は、前記駆動トランジスタと前記第１のスイッチとを直列に介して、電源線と電気的に接続され、
　前記駆動トランジスタのゲートは、前記第２のスイッチを介して、前記駆動トランジスタのドレインと電気的に接続され、
　前記第２のスイッチは、前記第１のスイッチを介さずに、前記駆動トランジスタのドレインと電気的に接続され、
　前記容量素子の第１の端子は、前記駆動トランジスタのゲートと電気的に接続され、
　前記容量素子の第２の端子は、前記第３のスイッチを介して、第１の配線と電気的に接続され、
　前記容量素子の第２の端子は、前記第４のスイッチを介して、第２の配線と電気的に接続され、
　前記電源線は、前記第１の配線又は前記第２の配線と交差する領域を有することを特徴とする表示装置（ただし、前記第２のスイッチのオンオフがランプ電圧によって制御される表示装置を除く）。
　　【請求項８】
　駆動トランジスタと、第１乃至第４のスイッチと、容量素子と、発光素子と、を有し、
　前記駆動トランジスタと前記第１のスイッチとは、前記発光素子と電源線との間に直列に電気的に接続され、
　前記第２のスイッチは、前記駆動トランジスタのゲートと前記駆動トランジスタのドレインとの間に電気的に接続され、
　前記第２のスイッチは、前記第１のスイッチを介さずに、前記駆動トランジスタのドレインと電気的に接続され、
　前記容量素子の第１の端子は、前記駆動トランジスタのゲートと電気的に接続され、
　前記第３のスイッチは、前記容量素子の第２の端子と第１の配線との間に電気的に接続され、
　前記第４のスイッチは、前記容量素子の第２の端子と第２の配線との間に電気的に接続され、
　前記電源線は、前記第１の配線又は前記第２の配線と交差する領域を有することを特徴とする表示装置（ただし、前記第２のスイッチのオンオフがランプ電圧によって制御される表示装置を除く）。
　　【請求項９】
　駆動トランジスタと、第１乃至第４のスイッチと、容量素子と、発光素子と、を有し、
　前記第１のスイッチは、電源線から前記駆動トランジスタを介して前記発光素子に流れる電流を遮断することができる機能を有し、
　前記第２のスイッチは、前記駆動トランジスタのゲートと前記駆動トランジスタのドレインとの導通又は非導通を制御することができる機能を有し、
　前記第２のスイッチは、前記第１のスイッチを介さずに、前記駆動トランジスタのドレインと電気的に接続され、
　前記容量素子の第１の端子は、前記駆動トランジスタのゲートと電気的に接続され、
　前記第３のスイッチは、前記容量素子の第２の端子と第１の配線との導通又は非導通を制御することができる機能を有し、
　前記第４のスイッチは、前記容量素子の第２の端子と第２の配線との導通又は非導通を制御することができる機能を有し、
　前記電源線は、前記第１の配線又は前記第２の配線と交差する領域を有することを特徴とする表示装置（ただし、前記第２のスイッチのオンオフがランプ電圧によって制御される表示装置を除く）。
　　【請求項１０】
　請求項１乃至請求９のいずれか一項において、
　前記駆動トランジスタのゲートとして機能する領域を有する導電層は、前記容量素子の第１の端子として機能する領域を有することを特徴とする表示装置。」
第４　引用文献、引用発明等
１．引用文献１について
　原査定の拒絶の理由に引用された引用文献１には、次の事項が記載されている。（下線は当審による。以下同様。）
「【０００１】
  本発明は、有機エレクトロルミネッセンス表示装置の如く、複数の画素をマトリクス状に配列して構成される表示パネルを具えた
表示装置
「【０１０５】
第１８実施例
  次に述べる第１８実施例〜第２４実施例は、有機ＥＬ素子の特性変化に拘わらずデータ電圧に応じた発光量で表示素子を発光させるための構成を有するものである。
【０１０６】
  図３６に示す第１８実施例においては、各画素(51)に、１フレーム期間の前半に走査電圧ＳＣＡＮを印加すると共に１フレーム期間の後半にハイの選択電圧ＳＥＬを印加するための第１信号線(61)と、１フレーム期間の前半にデータ電圧ＤＡＴＡを印加すると共に１フレーム期間の後半に第１ランプ電圧ＲＡＭＰ１を印加するための第２信号線(62)と、リセット信号ＲＳＴを印加するための第３信号線(63)と、第２ランプ電圧ＲＡＭＰ２を印加するための第４信号線(64)とが配備されている。
【０１０７】
  更に各画素(51)には、
有機ＥＬ素子(50)と、書込み用トランジスタＴＲ１と、
コンデンサＣ１と、
電源ＶＤＤから有機ＥＬ素子(50)に繋がる給電ライン(６)中に介在する第１トランジスタＴＲ３１と、
【０１０８】
  書込み用トランジスタＴＲ１のゲートには第１信号線(61)が接続され、該書込み用トランジスタＴＲ１のドレインは、コンデンサＣ１を介して、第１トランジスタＴＲ３１のゲートに繋がっている。又、第２トランジスタＴＲ３２のゲートには第４信号線(64)が接続され、第３トランジスタＴＲ３４のゲートには、第３信号線(63)が接続されている。」
「【０１２２】
第２１実施例
  本実施例においては、図４２に示す如く、第１８実施例に配備されていたリセットのための回路構成が省略されている。有機ＥＬ素子(50)はその構造上、容量成分を有しているが、本実施例は、有機ＥＬ素子(50)の容量がコンデンサＣ１の容量よりも十分に大きい場合に有効な実施例である。この場合、図３６に示すＡ点の電位変動に対してＣ点の電位変動が小さいため、Ｂ点の電位の低下量が過大とならず、これによって、Ｂ点の電位の低下を抑えるためのリセット動作が不要となるのである。
【０１２３】
第２２実施例
  図４３に示す画素(51)においては、第２１実施例の信号切換え式の第１信号線(61)と第２信号線(62)に替えて、信号個別の信号線を採用したものであって、ランプ電圧ＲＡＭＰを印加するための専用の信号線(67)と、選択電圧ＳＥＬを印加するための専用の信号線(66)とが追加されている。
  これに伴って、書込み用トランジスタＴＲ１のドレインと
ランプ電圧専用信号線(67)
トランジスタＴＲ３９
  該画素(51)の動作は第２１実施例と同じであって、第２１実施例と同じ効果が得られる。
【０１２４】
第２３実施例
  本実施例においては、図４４に示す如く、１フレーム期間の前半にデータ電圧ＤＡＴＡを印加すると共に１フレーム期間の後半に第１ランプ電圧ＲＡＭＰ１を印加するための第１信号線(71)と、１フレーム期間の前半に走査電圧ＳＣＡＮを印加すると共に１フレーム期間の後半に第２ランプ電圧ＲＡＭＰ２を印加するための第２信号線(72)と、ハイの選択信号ＳＥＬを印加するための第３信号線(73)と、リセット信号ＲＳＴを印加するための第４信号線(74)とが配備されている。
【０１２５】
  各画素(51)には、
有機ＥＬ素子(50)と、
コンデンサＣ１と、電源ＶＤＤから有機ＥＬ素子(50)に繋がる給電ライン(６)中に介在する第１トランジスタＴＲ３１と、
電源ＶＤＤと第１トランジスタＴＲ３１の間に介在する第３トランジスタＴＲ３５と、
第４トランジスタＴＲ３６
【０１２６】
  
第１トランジスタＴＲ３１のゲートにはコンデンサＣ１を介して第１信号線(71)が接続され、
【０１２７】
  図４５に示す如く、１フレームは、走査期間と発光期間とリセット期間に分割されており、リセット期間においては、先ず第２ランプ電圧ＲＡＭＰ２が立ち下がり、これによって第２トランジスタＴＲ３２がオフとなる。その直後にリセット信号ＲＳＴがハイとなり、これによって第４トランジスタＴＲ３６がオンとなり、Ｂ点の電位が電源電圧ＶＤＤまで上昇する。又、第１ランプ電圧ＲＡＭＰ１が立ち下がる。
【０１２８】
  次のフレームの走査期間において、走査電圧ＳＣＡＮの印加によって第２トランジスタＴＲ３２がオンになると、Ａ点の電位がデータ電圧まで上昇すると共に、Ｂ点の電位がＣ点の電位(有機ＥＬ素子の発光開始電圧)まで降下する。
  発光期間においては、ハイの選択信号ＳＥＬによって第３トランジスタＴＲ３５がオンとなる。又、第１ランプ電圧ＲＡＭＰ１と第２ランプ電圧ＲＡＭＰ２が上昇を開始する。これによって、Ａ点の電位がデータ電圧から第１ランプ電圧ＲＡＭＰ１に切り替えられて上昇し、これに伴ってＢ点の電位が上昇することになる。この結果、Ｂ点の電位とＣ点の電位の差が第１トランジスタＴＲ３１のスレッショルドレベルＶthを上回ると、第１トランジスタＴＲ３１がオンとなり、有機ＥＬ素子(50)への通電が開始され、有機ＥＬ素子(50)が発光し始める。
  その後、第２ランプ電圧ＲＡＭＰ２の上昇によって、第２ランプ電圧ＲＡＭＰ２とＣ点の電位の差が第２トランジスタＴＲ３２のスレッショルドレベルＶthを上回ると、第２トランジスタＴＲ３２がオンとなる。これによって第１トランジスタＴＲ３１がオフとなり、有機ＥＬ素子(50)への通電が停止されて、有機ＥＬ素子(50)の発光が終了する。
【０１２９】
  該画素(51)においても図４５に破線で示す如く、第１及び第２トランジスタＴＲ３１、ＴＲ３２の閾値のバラツキに拘わらず、有機ＥＬ素子(50)の発光期間はデータ電圧に応じた同じ長さとなる。従って、有機ＥＬ素子(50)に対する通電時間はデータ電圧の大きさに比例し、表示むらが生じる虞はない。
  又、給電ライン(６)中に第１トランジスタＴＲ３１が直列に介在して、有機ＥＬ素子(50)に対する通電をオン／オフするので、電源ＶＤＤからの電流は給電ライン(６)のみに流れることになり、無駄な電流の発生を回避することが出来る。
  更に、有機ＥＬ素子(50)の温度変化や経時変化によって有機ＥＬ特性がシフトしたとしても、走査後のＣ点の電位が有機ＥＬ素子(50)の通電時間にフィードバックされるので、
発光量が変化することはない。」
　引用文献１の図４４から、第１トランジスタＴＲ３１のゲートは、第４トランジスタＴＲ３６を介して、第１トランジスタＴＲ３１のドレインと（第３トランジスタＴＲ３５を介して）電気的に接続されている、という構成が読み取れる。また、同図４４，４５から、リセット信号ＲＳＴがゲートに供給される第４トランジスタＴＲ３６は、発光期間においてオフ状態であることが読み取れる。
　さらに、同図４３からは、コンデンサＣ１の第１の端子は、第１トランジスタＴＲ３１のゲートと電気的に接続されていること、コンデンサＣ１の第２の端子は、書込み用トランジスタＴＲ１を介して、ＤＡＴＡラインと電気的に接続されていること、またコンデンサＣ１の第２の端子は、トランジスタＴＲ３９を介して、信号線(67)と電気的に接続されていること、が読み取れる。そうすると上記引用文献１には、第２３実施例及び第２２実施例として、それぞれ次の発明が記載されていると認められる。
「第１トランジスタＴＲ３１と、第３トランジスタＴＲ３５と、第４トランジスタＴＲ３６と、コンデンサＣ１と、有機ＥＬ素子(50)と、を有し、（【０１２５】参照。）
　第１トランジスタＴＲ３１が電源ＶＤＤから有機ＥＬ素子(50)に繋がる給電ライン(６)中に介在し、第３トランジスタＴＲ３５が電源ＶＤＤと第１トランジスタＴＲ３１の間に介在し、（【０１２５】参照。）
　第１トランジスタＴＲ３１のゲートは、第４トランジスタＴＲ３６を介して、第１トランジスタＴＲ３１のドレインと（第３トランジスタＴＲ３５を介して）電気的に接続され、（図４４参照。）
　第１トランジスタＴＲ３１のゲートにはコンデンサＣ１を介して第１信号線(71)が接続され、（【０１２６】参照。）
　第４トランジスタＴＲ３６は、発光期間においてオフ状態である、（図４４，４５参照。）　表示装置。（【０００１】参照。）」（以下、「引用発明１」という。）
「第１トランジスタＴＲ３１と、書込み用トランジスタＴＲ１と、トランジスタＴＲ３９と、コンデンサＣ１と、有機ＥＬ素子(50)と、を有し、（【０１０７】、【０１２３】参照。）
　第１トランジスタＴＲ３１が電源ＶＤＤから有機ＥＬ素子(50)に繋がる給電ライン(６)中に介在し、（【０１０７】参照。）
　コンデンサＣ１の第１の端子は、第１トランジスタＴＲ３１のゲートと電気的に接続され、（図４３参照。）
　コンデンサＣ１の第２の端子は、前記書込み用トランジスタＴＲ１を介して、ＤＡＴＡラインと電気的に接続され、（図４３参照。）
　コンデンサＣ１の第２の端子は、前記トランジスタＴＲ３９を介して、ランプ電圧専用信号線(67)と電気的に接続される、（【０１２３】、図４３参照。）
　表示装置。（【０００１】参照。）」（以下、「引用発明２」という。）
２．引用文献２について
　また、原査定の拒絶の理由に引用された引用文献２には、図面とともに次の事項が記載されている。
「【００２６】図７は本実施例の画素 5のレイアウト図である。縦方向に信号線7、ｎチャネルソース線 24、ｐチャネルソース線 23が低抵抗Al配線で設けられており、横方向にはゲート線6及びリセット線10がゲート配線で設けられている。信号線7とゲート線6の交点には低温多結晶Si TFTプロセスで作られた入力TFT 1が構成されており、入力TFT 1の他端はそのまま横方向に延在して記憶コンデンサ2の一方の電極を構成している。
記憶コンデンサ2の対向電極は、そのままｎチャネル低温多結晶Si TFT 32及びｐチャネル低温多結晶Si TFT 31のゲート電極になっている。
３．引用文献３について
　また、原査定の拒絶の理由に引用された引用文３には、図面とともに次の事項が記載されている。
「【００１４】
次に本実施例における画素１０のレイアウト構造を説明する。
図５は本実施例の画素１０のレイアウト図であり、細い破線はＡｌ配線、太い破線はＩＴＯ（Ｉｎｄｉｕｍ  Ｔｉｎ  Ｏｘｉｄｅ）を用いた透明電極を示し、実線は多結晶Ｓｉ薄膜アイランド又はＴＦＴ形成用のゲート配線である。また細線の正方形はＡｌ配線と多結晶Ｓｉ薄膜アイランド、又はＡｌ配線とゲート配線とのコンタクトホール、太線の正方形はＡｌ配線と透明電極とのコンタクトホールである。
画素１０の左右には上下方向に信号線８及び電源線９がＡｌ配線でレイアウトされており、
信号線８の一部に重なるようにゲート配線２１を設けることにより、信号線８の一部をそのまま記憶容量４に用いている。またゲート配線２１の一端は電源線９に接続された多結晶Ｓｉ薄膜アイランド２２に重なることによって、駆動ＴＦＴ２を形成している。
第５　対比・判断
１．本願発明１について
（１）対比
　本願発明１と引用発明１とを対比する。 
　まず、引用発明１における「第１トランジスタＴＲ３１と、第３トランジスタＴＲ３５と、第４トランジスタＴＲ３６と、コンデンサＣ１と、有機ＥＬ素子(50)」は、それぞれ本願発明１の「駆動トランジスタと、第１のスイッチと、第２のスイッチと、容量素子と、発光素子」に相当する。
　また、引用発明１において「第１トランジスタＴＲ３１が電源ＶＤＤから有機ＥＬ素子(50)に繋がる給電ライン(６)中に介在し、第３トランジスタＴＲ３５が電源ＶＤＤと第１トランジスタＴＲ３１の間に介在」することは、本願発明１において「前記発光素子は、前記駆動トランジスタと前記第１のスイッチとを直列に介して、電源線と電気的に接続され」ることに相当する。
　さらに、引用発明１において「第１トランジスタＴＲ３１のゲートは、第４トランジスタＴＲ３６を介して、第１トランジスタＴＲ３１のドレインと（第３トランジスタＴＲ３５を介して）電気的に接続され」ていることは、本願発明１において「前記駆動トランジスタのゲートは、前記第２のスイッチを介して、前記駆動トランジスタのドレインと電気的に接続され」ていることに相当する。
　次に、引用発明１において「第１トランジスタＴＲ３１のゲートにはコンデンサＣ１を介して第１信号線(71)が接続され」ていることは、本願発明１において「前記容量素子の第１の端子は、前記駆動トランジスタのゲートと電気的に接続され」ていることに相当する。
　また、引用発明１において「第４トランジスタＴＲ３６は、発光期間においてオフ状態である」ことは、本願発明１において「前記第２のスイッチは、発光期間においてオフ状態であ」ることに相当する。
　してみると、両者の一致点及び相違点は、以下のとおりである。
　                        
（一致点）
「駆動トランジスタと、第１のスイッチと、第２のスイッチと、容量素子と、発光素子と、を有し、
　前記発光素子は、前記駆動トランジスタと前記第１のスイッチとを直列に介して、電源線と電気的に接続され、
　前記駆動トランジスタのゲートは、前記第２のスイッチを介して、前記駆動トランジスタのドレインと電気的に接続され、
　前記容量素子の第１の端子は、前記駆動トランジスタのゲートと電気的に接続され、
　前記第２のスイッチは、発光期間においてオフ状態である、
　ことを特徴とする表示装置。」
　
　（相違点）　
相違点１：本願発明１においては、「前記第２のスイッチは、前記第１のスイッチを介さずに、前記駆動トランジスタのドレインと電気的に接続され」ているのに対し、引用発明１においては、第４トランジスタＴＲ３６が第３トランジスタＴＲ３５を介して、第１トランジスタＴＲ３１のドレインと電気的に接続されている点。
　　
相違点２：本願発明１は、「第３のスイッチ」及び「第４のスイッチ」を有しており、「前記容量素子の第２の端子は、前記第３のスイッチを介して、第１の配線と電気的に接続され、前記容量素子の第２の端子は、前記第４のスイッチを介して、第２の配線と電気的に接続され」るのに対し、引用発明１はそのようなスイッチを有さない点。
相違点３：本願発明１においては「前記電源線は、前記第１の配線又は前記第２の配線と交差する領域を有する」のに対し、引用発明１において電源線と他の配線との関係は不明である点。
（２）相違点についての判断
　本願発明１の内容に鑑み、上記相違点２について検討する。
　上記引用発明２は、「書込み用トランジスタＴＲ１と、トランジスタＴＲ３９と」を有しており、また「コンデンサＣ１の第２の端子は、前記書込み用トランジスタＴＲ１を介して、ＤＡＴＡラインと電気的に接続され」、「コンデンサＣ１の第２の端子は、前記トランジスタＴＲ３９を介して、ランプ電圧専用信号線(67)と電気的に接続される」ものであって、これは上記相違点２に係る本願発明１の構成に相当するものであるといえる。
　しかしながら、引用発明１と引用発明２とは異なる実施例に対応するものであって、それぞれの備える各種配線の伝送信号及び接続状態も相違している（例えば、引用発明２の第２２実施例において、上記「書込み用トランジスタＴＲ１」と「トランジスタＴＲ３９」を制御する信号であるＳＣＡＮ及びＳＥＬ信号は、引用発明１の第２３実施例ではそれぞれ「第２トランジスタＴＲ３２」と「第３トランジスタＴＲ３５」を制御している。）。そのような状況下であえて、引用発明２を構成する回路の一部分のみを取り出し、しかも引用発明１の回路自体を変更することなく、これに付加するといったことは、引用文献１には記載も示唆もされておらず、またそのようなことを行う理由を見いだすこともできない。
　また、引用文献２，３においても、上記相違点２に係る本願発明１の構成に相当する事項について記載も示唆もされていない。
　したがって、上記相違点１，３について判断するまでもなく、本願発明１は、当業者であっても、引用文献１ないし３に基づいて容易に発明できたものとはいえない。
２．本願発明２−１０について
　本願発明２−１０も、本願発明１の「前記容量素子の第２の端子は、前記第３のスイッチを介して、第１の配線と電気的に接続され、前記容量素子の第２の端子は、前記第４のスイッチを介して、第２の配線と電気的に接続され」ているという構成と同一の構成、もしくはそれに対応する構成を備えるものであるから、本願発明１と同じ理由により、当業者であっても、引用文献１ないし３に基づいて容易に発明できたものとはいえない。
第６　原査定について
１．理由１（特許法第２９条第２項）について
　本願発明１−１０は「前記容量素子の第２の端子は、前記第３のスイッチを介して、第１の配線と電気的に接続され、前記容量素子の第２の端子は、前記第４のスイッチを介して、第２の配線と電気的に接続され」ているという事項、もしくはそれに対応する事項を有するものであり、当業者であっても、拒絶査定において引用された引用文献１−３に基づいて、容易に発明できたものとはいえない。したがって、原査定の理由を維持することはできない。
第７　むすび
　以上のとおり、原査定の理由によっては、本願を拒絶することはできない。
　また、他に本願を拒絶すべき理由を発見しない。
　よって、結論のとおり審決する。